(57)【特許請求の範囲】
【請求項１】
建物の軒部に、該建物の換気空間と外部とを連通させる前記軒部の長手方向に長尺のスリット状の略下向きに開口した換気口が設けられているとともに、
前記スリット状の換気口の下方には、所定の間隔をあけて、前記建物の外部方向に突出する換気口下水切り材が前記軒部の長手方向に沿って設けられているとともに、
前記スリット状の換気口の入り口から前記建物の内部方向に延びる上下に曲がりくねった水切り換気経路が設けられており、
前記換気空間内において、前記水切り換気経路の下方には、樋が設けられていることを特徴とする換気構造。
【請求項２】
前記換気口下水切り材の前記建物の外部方向に突出する長さは、前記スリット状の換気口の外側端部を超える長さとされていることを特徴とする請求項１に記載の換気構造。
【請求項３】
前記水切り換気経路と前記樋との間には、雨水誘導部材が設けられていることを特徴とする請求項１又は２に記載の換気構造。
【請求項４】
前記スリット状の換気口の近傍に、防鳥ネットが設けられていることを特徴とする請求項１乃至３のいずれか１項に記載の換気構造。
【請求項５】
請求項１乃至４のいずれか１項に記載の換気構造を備えていることを特徴とする建物。
【発明の詳細な説明】
【技術分野】
【０００１】
本発明は、建物の換気構造、及びこの換気構造を備えた建物に関するものである。
【背景技術】
【０００２】
近年の建物においては、建物本体の耐久性を高めるためなどの目的で、屋根裏などの換気が行える換気構造が多く実施されている。
【０００３】
例えば特許文献１に開示された換気構造では、雨仕舞いを考慮して、軒部の下側に換気口が設けられ、屋根裏空間と連通している。
【先行技術文献】
【特許文献】
【０００４】
【特許文献１】特開２００９−１３６７８号公報
【発明の概要】
【発明が解決しようとする課題】
【０００５】
特許文献１のような従来の換気構造では、換気口が略下向きに開口しているので、上方向や横方向からの風雨の浸入は防げるものの、下方向からの風雨の浸入に対する対策は不十分であり、雨仕舞い性能の点で、改良の余地があった。
【０００６】
そこで、本発明は、換気性能に優れているうえに、雨仕舞い性能にも優れている換気構造、及びこの換気構造を備えた建物を提供することを目的としている。
【課題を解決するための手段】
【０００７】
前記目的を達成するために、本発明の換気構造は、建物の軒部に、該建物の換気空間と外部とを連通させる前記軒部の長手方向に長尺のスリット状の略下向きに開口した換気口が設けられているとともに、前記スリット状の換気口の下方には、所定の間隔をあけて、前記建物の外部方向に突出する換気口下水切り材が前記軒部の長手方向に沿って設けられていることを特徴とする。
【０００８】
ここで、前記換気口下水切り材の前記建物の外部方向に突出する長さは、前記スリット状の換気口の外側端部を超える長さとされているとよい。
【０００９】
また、前記スリット状の換気口の入り口から前記建物の内部方向に延びる上下に曲がりくねった水切り換気経路が設けられているとよい。
【００１０】
さらに、前記換気空間内において、前記水切り換気経路の下方には、樋が設けられているとよい。
【００１１】
また、前記水切り換気経路と前記樋との間には、雨水誘導部材が設けられているとよい。
【００１２】
さらに、前記スリット状の換気口の近傍に、防鳥ネットが設けられているとよい。
【００１３】
本発明の建物は、上記した換気構造を備えていることを特徴とする。
【発明の効果】
【００１４】
このような本発明の換気構造は、建物の軒部に、建物の換気空間と外部とを連通させる軒部の長手方向に長尺のスリット状の略下向きに開口した換気口が設けられている。
【００１５】
そして、スリット状の換気口の下方には、所定の間隔をあけて、建物の外部方向に突出する換気口下水切り材が前記軒部の長手方向に沿って設けられた構成とされている。
【００１６】
こうした構成なので、長尺のスリット状の換気口が設けられているため、換気性能に優れている。
【００１７】
そのうえ、スリット状の換気口は略下向きに開口しているので、上方向及び横方向からの風雨の浸入が抑止されるとともに、換気口下水切り材により、下方向からの風雨の浸入も抑制されるため、雨仕舞い性能にも優れている。
【００１８】
さらに、換気口下水切り材により、スリット状の換気口が建物の外部に露出されないため、意匠的外観も良い。
【００１９】
ここで、換気口下水切り材の建物の外部方向に突出する長さは、スリット状の換気口の外側端部を超える長さとされている場合は、換気口下水切り材により、下方向からの風雨の浸入がより抑制されるため、より雨仕舞い性能に優れている。
【００２０】
また、スリット状の換気口の入り口から建物の内部方向に延びる上下に曲がりくねった水切り換気経路が設けられている場合は、水切り換気経路内を通過する空気が万遍なく水切り換気経路の内側面に接触することとなり、雨水の浸入がさらにより抑制されるため、さらにより雨仕舞い性能に優れている。
【００２１】
さらに、換気空間内において、水切り換気経路の下方には、樋が設けられている場合は、万一、水切り換気経路も越えて雨水が浸入してきたときも、この雨水は樋で排出して処理することができる。
【００２２】
また、水切り換気経路と樋との間には、雨水誘導部材が設けられている場合は、雨水誘導部材により、浸入してきた雨水は、樋へ誘導されるため、樋の配置に自由度を持たせることができる。
【００２３】
さらに、スリット状の換気口の近傍に、防鳥ネットが設けられている場合は、スリット状の換気口に鳥が侵入して、巣を作り、塞いでしまうなどの弊害を防止することができる。
【００２４】
このような本発明の建物は、上記した換気構造を備えた構成とされているので、上記した効果を奏する建物を構築することができる。
【図面の簡単な説明】
【００２５】
【図１】実施例の換気構造を備えた建物の概略構成を示す斜視図である。
【図２】図１におけるＡ−Ａ線矢視拡大断面図である。
【図３】実施例の換気構造の一部の内部構成を示す説明図である。
【発明を実施するための形態】
【００２６】
以下、本発明を実施するための形態を、図面に示す実施例に基づいて説明する。
【実施例】
【００２７】
先ず、実施例の構成について説明する。
【００２８】
図１は、実施例の換気構造を備えた建物１の概略構成を示している。
【００２９】
まず、このような建物１は、図１に示したように、基礎１Ｂの上に、建物本体１Ａが構築されている。
【００３０】
この実施例の換気構造では、図１及び図２に示したように、外壁材５の上端面に間隔をあけて複数のブラケット３，・・・が、建物１の内部方向に突出した突出板部３ｂの部分で載置され、垂下部３ａの部分で締結部材としてのビス２０により外壁材５に固定されるとともに、水平部３ｃの部分で締結部材としてのビス２１により屋根板１１の断面略Ｗ字形の端部１１ａの外側水平部に固定されている。
【００３１】
そして、これら複数のブラケット３，・・・の上から略断面Ｌ字形のカバー状の笠木１８が嵌め込まれて、締結部材としてのビス２４により固定されて、建物１の長辺側の軒部Ｎが形成されている。
【００３２】
同時に、軒部Ｎには、この軒部Ｎの長手方向に長尺のスリット状の略下向きに開口した換気口Ｅが形成されており、このスリット状の換気口Ｅは、建物１の換気空間としての屋根裏空間２と連通している。
【００３３】
そのうえで、スリット状の換気口Ｅの下方には、所定の間隔（略２３ｍｍ）をあけて、建物１の外部方向に突出する換気口下水切り材３０が、前記軒部Ｎの長手方向に沿って設けられている。
【００３４】
ここで、換気口下水切り材３０は、建物１の内部方向に突出した突出板部３０ｂの部分で外壁材５の上端面に載置され、立ち上がり部３０ａの部分で、ブラケット３，・・・を固定するビス２０により外壁材５に共通に固定されている。
【００３５】
また、スリット状の換気口Ｅの短辺側の長さは、略２０ｍｍとされ、換気口下水切り材３０の建物１の外部方向へ突出する長さは、略４０ｍｍとされており、換気口下水切り材３０は、スリット状の換気口Ｅの外側端部を超える長さとされている。
【００３６】
さらに、スリット状の換気口Ｅの入り口から建物１の内部方向に延びる上下に曲がりくねった水切り換気経路４が設けられている。
【００３７】
具体的には、水切り換気経路４の下側面の一部は、図２に示したように、下部防水シート１０により形成されている。
【００３８】
この下部防水シート１０は、外壁材５の上端面、その内側面に固定された桟材５ａの上面、及び溝形鋼の天井梁６の上側フランジにスペーサー７を介してボルトとナットにより固定された断面略Ｗ字形の垂木受け材８の上端の立ち上がり部に溶接により固定された断面略逆Ｌ字形の支持部材９の水平部の上面に貼設されている。
【００３９】
また、水切り換気経路４の上側面の一部は、図２に示したように、下側面に上部防水シート１２が貼り付けられた屋根板１１の断面略Ｗ字形の端部１１ａの外側水平部、鉛直部、及び内側水平部により形成されている。
【００４０】
ここで、下側面に上部防水シート１２が貼り付けられた屋根板１１は、野地板１３の上面に貼設されており、この野地板１３は、対向する断面略Ｗ字形の垂木受け材８，８間に架設された垂木１４，・・・の上面に貼設されている。
【００４１】
さらに、水切り換気経路４の左右側面は、図３に示したように、建物１の短辺側の笠木１５の内側面によりそれぞれ形成されている。
【００４２】
そして、下部防水シート１０の上面に断面略Ｓ字形の水切り部材４１が設けられ、上部防水シート１２の下面に断面略Ｌ字形の水切り部材４２が設けられて、上下に曲がりくねった水切り換気経路４が形成されている。
【００４３】
ここで、断面略Ｓ字形の水切り部材４１は、下部防水シート１０の上面に両面テープで貼設されている。
【００４４】
また、断面略Ｌ字形の水切り部材４２は、笠木１８を屋根板１１の断面略Ｗ字形の端部１１ａの外側水平部に固定するビス２１により共通に固定されている。
【００４５】
さらに、水切り換気経路４の出口側の強度を確保するために、断面略逆Ｌ字形の支持部材９の水平部と屋根板１１の断面略Ｗ字形の端部１１ａの内側水平部との間には、締結部材としてのビス２２，・・・により、角筒状のスペーサー４３，・・・が固定され介装されている。
【００４６】
さらに、換気空間としての屋根裏空間２内において、水切り換気経路４の下方には、垂木１４に側面が固定されて、樋１６が設けられている。
【００４７】
ここで、この樋１６の一方の端部は、水切り換気経路４の内側端部の略真下に配置され、他方の端部には、建物１の外部へ樋１６内の雨水を排水するための図示省略の縦樋が連通して設けられている。
【００４８】
また、断面略コ字形の鋼材の下側水平部を上方へ若干折り曲げた折り曲げ部を有する雨水誘導部材１７が、図２及び図３に示したように、上側水平部が、上部防水シート１２とスペーサー４３，・・・との間に挟持されて、水切り換気経路４と樋１６との間に設けられている。
【００４９】
ここで、雨水誘導部材１７の折り曲げ部には、樋１６に向って若干の傾斜が設けられており、この傾斜部分の最下部となる側の端部が、樋１６の上方に配置されている。
【００５０】
また、雨水誘導部材１７の折り曲げ部の上方では、下部防水シート１０の内側端部が延設され、垂下しており、水切り材１０ａとされている。
【００５１】
さらに、スリット状の換気口Ｅの近傍となるブラケット３，・・・の下側面には、防鳥ネット１９が締結部材としてのビス２３，・・・により固定され設けられている。
【００５２】
これにより、建物１の外部からの空気は、図２に示したように、矢印Ｗの方向に流れて、雨仕舞いが確実になされたうえで、屋根裏空間２の換気が可能とされている。
【００５３】
なお、建物１の短辺側の笠木１５の下方には、図１に示したように、換気口下水切り材３０の端部と連続して、飾り用水切り材３０Ａが設けられており、意匠的外観を良くしている。
【００５４】
次に、実施例１の作用効果について説明する。
【００５５】
このような実施例の換気構造は、建物１の軒部Ｎに、建物１の換気空間としての屋根裏空間２と外部とを連通させる軒部Ｎの長手方向に長尺のスリット状の略下向きに開口した換気口Ｅが設けられている。
【００５６】
そして、スリット状の換気口Ｅの下方には、所定の間隔をあけて、建物１の外部方向に突出する換気口下水切り材３０が軒部Ｎの長手方向に沿って設けられた構成とされている。
【００５７】
こうした構成なので、長尺のスリット状の換気口Ｅが設けられているため、換気性能に優れている。
【００５８】
そのうえ、スリット状の換気口Ｅは略下向きに開口しているので、上方向及び横方向からの風雨の浸入が抑止されるとともに、換気口下水切り材３０により、下方向からの風雨の浸入も抑制されるため、雨仕舞い性能にも優れている。
【００５９】
さらに、換気口下水切り材３０により、スリット状の換気口Ｅが建物１の外部に露出されないため、意匠的外観も良い。
【００６０】
ここで、換気口下水切り材３０の建物１の外部方向に突出する長さは、スリット状の換気口Ｅの外側端部を超える長さとされている。
【００６１】
このため、換気口下水切り材３０により、下方向からの風雨の浸入がより抑制されるので、より雨仕舞い性能に優れている。
【００６２】
また、スリット状の換気口Ｅの入り口から建物１の内部方向に延びる上下に曲がりくねった水切り換気経路４が設けられている。
【００６３】
このため、水切り換気経路４内を通過する空気が万遍なく水切り換気経路４の内側面に接触することとなり、雨水の浸入がさらにより抑制されるため、さらにより雨仕舞い性能に優れている。
【００６４】
さらに、換気空間としての屋根裏空間２内において、水切り換気経路４の下方には、樋１６が設けられている。
【００６５】
このため、万一、水切り換気経路４も越えて雨水が浸入してきたときも、この雨水は樋１６で排出して処理することができる。
【００６６】
また、水切り換気経路４と樋１６との間には、雨水誘導部材１７が設けられている。
【００６７】
このため、雨水誘導部材１７により、浸入してきた雨水は、樋１６へ誘導されるため、樋１６の配置に自由度を持たせることができる。
【００６８】
さらに、スリット状の換気口Ｅの近傍に、防鳥ネット１９が設けられている。
【００６９】
このため、スリット状の換気口Ｅに鳥が侵入して、巣を作り、塞いでしまうなどの弊害を防止することができる。
【００７０】
このような実施例の建物１は、上記した換気構造を備えた構成とされているので、上記した作用効果を奏する建物を構築することができる。
【００７１】
次に、この実施例の換気構造の実証試験を行ったところ、次の試験結果が得られた。
【００７２】
下記した条件（１）及び条件（２）における雨仕舞い性能を確認した。
【００７３】
ここで、条件（１）は、換気口下水切り材３０を設けない場合である。
【００７４】
また、条件（２）は、上記した実施例のように、換気口下水切り材３０（水平方向へ略４０ｍｍ突出した長さのもの）を設けた場合である。
【００７５】
そして、条件（１）と条件（２）の換気構造に、風速３５ｍで、降水量２８５ｍｍ／ｈの人工雨を１０分間吹き付けるという、かなり過酷な状況を与えた。
【００７６】
その結果、条件（１）の換気構造では、十分な換気は行えるものの、屋根裏空間２内の樋１６までかなりの雨水が浸入してしまうことが確認できた。
【００７７】
これに対し、条件（２）の換気構造では、屋根裏空間２内の樋１６まで雨水が浸入しないうえに、十分な換気が行えることが確認できた。
【００７８】
すなわち、実施例の換気構造が、十分な換気性能を確保したうえで、雨仕舞い性能に優れていることが実証できた。
【００７９】
但し、換気口下水切り材３０の寸法及び配置などは、基本的に、個々のケースで必要な換気性能に適合するように計算により個別に決められるものなので、上記した数値に限定されない。
【００８０】
以上、図面を参照して、本発明を実施するための形態について実施例をもとに詳述してきたが、具体的な構成は、上記した実施例に限らず、本発明の要旨を逸脱しない程度の設計的変更は、本発明に含まれる。
【００８１】
例えば、上記実施例では、換気空間を屋根裏空間２として実施したが、これに限定されず、換気空間をバルコニーの床下空間などにして実施してもよい。
【００８２】
また、上記実施例では、上下に曲がりくねった水切り換気経路４を設けて実施したが、これに限定されない。
【００８３】
すなわち、水切り換気経路４のかわりに、上記した特許文献１に記載されたガラリなどを設けて実施してもよい。
【符号の説明】
【００８４】
１      建物
２      屋根裏空間（換気空間）
Ｎ      軒部
Ｅ      スリット状の換気口
３０    換気口下水切り材
４      水切り換気経路
１６    樋
１７    雨水誘導部材
１９    防鳥ネット
【図１】
0005466481.tif 000002
【図２】
0005466481.tif 000003
【図３】
0005466481.tif 000004